【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
モンモリロナイト、カオリナイト、およびベントナイトからなる群から選択されるナノクレイと、
亜鉛、ジルコニウム、セリウム、チタン、および鉄からなる群から選択される金属を含む金属酸化物と、
プラスチック基質または高分子型基質またはセラミック型基質とを含有し、
上記金属酸化物は、上記ナノクレイの構造中に挿入されており、
上記ナノクレイは、通常、厚みの範囲のみが１００ｎｍ未満のナノメートルサイズのクレイの層状構造である、ナノ複合体材料。
【請求項２】
上記ナノクレイは、上記ナノクレイの構造中に組み込まれて、表面改質をもたらす改質添加剤をさらに含有しており、
上記添加剤は、以下の群から選択される、請求項１に記載のナノ複合体材料：
ａ）以下の群から選択される増量剤型前駆体：
ＤＭＳＯ、エチレンポリオキシド、金属塩、ＮＭＦ、アルコール、酢酸塩、水和ヒドラジン、水、無水ヒドラジン、カルボキシメチルデンプン、アセトアミド、デンプン、ＤＭＳＯ＋メタノール、ヒドロキシエチルデンプン、ヘキサン酸、ヒドロキシプロピルデンプン、アクリルアミド、アドニトール、グルコース、アラチルアミド、サリチル酸、カプロラクタム、グリコール酸、タンニン酸、マレイン酸、無水マレイン酸、乳酸、アジピン酸、酢酸、アセトアルデヒド、ソルビタン、酪酸、テトラフルオロエチレン、クロロトリフルオロエチレン、ビニルピロリドン、ヘキサメチレン、ビニルバーサテートまたはこれらの任意の組合せ；
ｂ）以下の群から選択される融和剤：
−ＰＶＯＨ、ＥＶＯＨおよびその同族の誘導体；
−生体高分子；
−生物医学用の生理活性材料；
−有機塩のリン酸塩、およびホスフィン塩等のホスホニウム塩；
−天然の抗酸化剤または合成された抗酸化剤；
−第四級アンモニウム塩；
−脂肪族モノカルボン酸（Ｃ６〜Ｃ２２）を用いたポリエチレングリコールエステル、並びにその硫酸アンモニウム塩および硫酸ナトリウム塩；
−パーフルオロオクタン酸およびそのアンモニウム塩；
−キトサンおよびその誘導体；
−金属塩；
−抗菌性、抗酸化性または酸素隔離性を備えた、金属化合物のマイクロ粒子およびナノ粒子等の他の粒子もしくはナノ粒子；
−および／または、前述の全ての物質の任意の組合せ；
ｃ）以下の群から選択される機能を付加する物質：
−エタノール、またはエチレン；
−エッセンシャルオイル、好ましくは、チモール、カルバクロール、シナモン派生物、アリルイソシアネート、リナロールまたはこれらの混合物、
−天然のサイズを縮小した抗菌性ペプチド、好ましくは、バクテリオシン、または遺伝子組換えによって得られた抗菌性ペプチド、好ましくは、ナイシン、エンテロシン、ラクチシンまたはリゾチーム；
−天然の抗酸化剤または合成された抗酸化剤、好ましくは、ポリフェノール（レスベラトールまたはフラボノイド等）、植物抽出液（制限されないが、例えば、オイゲノールまたはローズマリーの抽出液等）、およびビタミン、好ましくは、トコフェロールおよびトコトリエノールまたはアスコルビン酸／ビタミンＣ；
−放出制御を必要とする薬剤、酵素、生体利用可能なカルシウム化合物、魚油、プロバイオティクス、プレバイオティクスおよびシンバイオティクスからなる群から選択された、生理活性能力、治療学的能力または薬理学的能力を備えた物質；
−有機および無機の、金属塩および／または金属粒子、好ましくは、銀、銅、セリウム、亜鉛、マグネシウム、スズ、鉄、チタン、ジルコニウム、ニッケルまたはコバルト、またはこれらの任意の組合せの、有機および無機の、金属塩および／または金属酸化物および／または金属粒子；および、
（ｄ）これらの任意の組合せ。
【請求項３】
上記プラスチック基質または高分子基質は、以下の群から選択される、請求項１または２に記載のナノ複合体材料：
−以下の群から選択される、熱可塑性基質、熱的安定性基質およびエラストマー基質：ポリオレフィン、ポリエステル、ポリアミド、ポリイミド、ポリケトン、ポリイソシアネート、ポリスルフォン、スチレンプラスチック、フェノール樹脂、アミド樹脂、尿素樹脂、メラミン樹脂、ポリエステル樹脂、エポキシ樹脂、ポリカーボネート、ポリビニルピロリドン、エポキシ樹脂、ポリアクリレート、ゴムおよびガム、ポリウレタン、シリコーン、アラミド、ポリブタジエン、ポリイソプレン、ポリアクリロニトリル、ＰＶＤＦ、ＰＶＡ、ＰＶＯＨ、ＥＶＯＨ、ＰＶＣおよびＰＶＤＣ；
−および、以下の群から選択される生体高分子：タンパク質、多糖類、脂質および生体ポリエステル、またはこれらの任意の組合せ。
【請求項４】
上記ナノ複合体材料全体の重量に対する上記プラスチック基質の重量比率が、５％以上、９９．９９％以下、好ましくは、２０％以上、９９．９９％以下、一層好ましくは、９０％以上、９９．９９％以下である、請求項１から３の何れか１項に記載のナノ複合体材料。
【請求項５】
上記ナノ複合体材料全体の量に対する上記ナノクレイの割合は、０．０１％以上、９５％以下、好ましくは、０．０１％以上、８０％以下、より好ましくは、０．０１％以上、１０％以下である、請求項１から４の何れか１項に記載のナノ複合体材料。
【請求項６】
上記セラミック基質は、以下の物質を含有している、請求項１に記載のナノ複合体材料：
−水、
−クレイ、
−解膠剤、
−長石、および
−長石砂。
【請求項７】
上記ナノ複合体材料全体の重量に対する上記セラミック基質の重量比率は、５％以上、９９．９９％以下、好ましくは、２０％以上、９９．９９％以下、より好ましくは、６５％以上、９９．９９％以下である、請求項１、２または６に記載のナノ複合体材料。
【請求項８】
上記セラミック基質において、上記ナノ複合体材料全体の重量に対する上記ナノクレイの重量比率は、０．０１％以上、９５％以下、好ましくは、０．０１％以上、８０％以下、より好ましくは、０．０１％以上、３５％以下である、請求項１、２、６または７に記載のナノ複合体材料。
【請求項９】
上記ナノ複合体材料の上記基質は、以下の群から選択される添加剤をさらに含有している、請求項１から８の何れか１項に記載のナノ複合体材料：
−金属、
−金属塩、
−酸化亜鉛、二酸化セリウム、二酸化チタン、二酸化ジルコニウムから選択される金属酸化物、
−能動的特性または生理活性の特性を備えた低分子量の物質であり、エタノール、またはエチレン、またはエッセンシャルオイル型のもの、または天然のサイズを縮小した抗菌性ペプチド、または遺伝子組換えによって得られたサイズを縮小した抗菌性ペプチドから選択される物質、
−ヘキサデシルトリメチルアンモニウムブロミド、Ｎ−メタクリロイルオキシエチル−Ｎ、Ｎ−ジメチル−Ｎ−カルボキシメチルアンモニウムクロリドおよびビス（２−ヒドロキシエチル）−２−ヒドロキシプロピル−３−（ドデシルオキシ）メチルアンモニウムクロリド、モノ−アルキルアンモニウムクロリドおよびジ−アルキルアンモニウムクロリド等の第四級アンモニウム塩であり、より好ましくは、ジ（水素化獣脂）ジメチルアンモニウムクロリド、
−天然の抗酸化剤または合成された抗酸化剤、
−生理活性能力、治療学的能力または薬理学的能力を備えた物質であり、放出制御を必要とする薬剤、酵素、生体利用可能なカルシウム化合物、魚油、プロバイオティクス、プレバイオティクスおよびシンバイオティクスからなる群から選択される物質；または
−これらの物質の任意の組合せ。
【請求項１０】
請求項１から９の何れか１項に記載のナノ複合体材料を含有している、高分子物品またはセラミック物品。
【請求項１１】
高分子物品またはセラミック物品を製造するための、請求項１から９の何れか１項に記載のナノ複合体材料の使用。
【請求項１２】
請求項１から９の何れか１項に記載のナノ複合体の合成方法であって、
以下の工程を包含していることを特徴とする合成方法：
（ａ）Ｄ９０において、３０μｍ未満の粒子サイズの粒子が得られるまで、機械的行為によって天然のクレイの粒子サイズを小さくする工程；
（ｂ）Ｄ９０において、０．１μｍ〜１００μｍの範囲、好ましくは、２５μｍ未満、より好ましくは、７μｍ未満の粒子サイズの粒子が得られるまで、振動ふるい、遠心分離機、フィルタープレス、または任意の他の乾式ろ過システムもしくは湿式ろ過システムにおいて、上記工程（ａ）において得られた粒子を分類する工程；
（ｃ）上記工程（ｂ）の後に、液体懸濁液または粉末の状態における層状の微粉末を取得する工程であり、上記粉末の状態における層状の微粉末は、湿式もしくは乾式の遠心分離法を行い、場合によっては、その後、制御された減圧を伴う噴霧法または凍結乾燥を含む任意の他の工業的乾燥法を行うことによる後の乾燥を経て取得される；
（ｄ）上記工程（ｃ）にて得られた上記層状構造に以下の群から選択される増量剤型前駆体を添加する工程；
ＤＭＳＯ、エチレンポリオキシド、金属塩、ＮＭＦ、アルコール、酢酸塩、水和ヒドラジン、水、無水ヒドラジン、カルボキシメチルデンプン、アセトアミド、デンプン、ＤＭＳＯ＋メタノール、ヒドロキシエチルデンプン、ヘキサン酸、ヒドロキシプロピルデンプン、アクリルアミド、アドニトール、グルコース、アラチルアミド、サリチル酸、カプロラクタム、グリコール酸、タンニン酸、マレイン酸、無水マレイン酸、乳酸、アジピン酸、酢酸、アセトアルデヒド、ソルビタン、酪酸、テトラフルオロエチレン、クロロトリフルオロエチレン、ビニルピロリドン、ヘキサメチレン、ビニルバーサテートまたはこれらの任意の組合せ；
（ｅ）金属アルコキシドまたは、亜鉛、ジルコニウム、セリウム、チタン、および鉄からなる群から選択される金属の有機塩および／または無機塩群から選択される、上記ナノクレイに挿入される上記酸化物の前駆体を添加する工程；
（ｆ）ゾル−ゲル法、酸、塩基、酸化物質もしくは溶媒の添加による化学沈殿もしくは加水分解、還元およびその後の全体的もしくは部分的な酸化、熱水沈殿、電着、高温（１００℃〜１２００℃）における焼きなまし、紫外線照射、赤外線照射および／またはマイクロ波照射から構成される群から選択される物理的処理または化学的処理を適用することによって、上記金属酸化物を形成する工程；および
（ｇ）上記ナノクレイを、固体または液体の状態において、プラスチック基質もしくは高分子基質、またはセラミック基質に添加する工程。
【請求項１３】
任意の種類の活性物質および／または生理活性物質を、挿入された金属酸化物を備えた活性ナノクレイを含有している上記基質に添加する工程（ｈ）を任意に行い、
上記活性物質および／または生理活性物質は、活性型の有機金属塩および無機金属塩からなる群から選択され、好ましくは、銀、鉄、銅、チタン、亜鉛、セリウム、マグネシウム、スズ、ニッケルもしくはコバルトの上記塩、または天然の抗酸化物質もしくは合成された抗酸化物質である、請求項１２に記載のナノ複合体材料の製造方法。
【請求項１４】
上記基質はセラミック基質または高分子基質であり、プラスチック基質における上記ナノ添加剤のマスターバッチまたは濃縮物を得るための、乾燥、冷却または沈殿剤の添加による、改質剤が添加されたまたは添加されていない上記ナノクレイを含有している溶解状態における上記基質の沈殿を行い、上記乾燥は、加熱および／または遠心分離および／または溶液中での重量法またはターボ−ドライヤーおよび／または噴霧である、請求項１１から１３の何れか１項に記載の方法。
【請求項１５】
上記基質はセラミック基質であり、かつ、セラミック物品の製造工程または加工工程のいずれかにおいて、好ましくは、噴霧前の粉末を改質する間に、能動的特性または受動的特性、または触媒的特性を備えた、活性の促進因子であるセラミック基質に対して、有機金属塩および／または無機金属塩を任意で他の活性物質または生理活性物質と共に添加する、請求項１１から１３の何れか１項に記載の方法。